(57)【要約】【課題】放送を受信する装置を変更する際に使用者が同一番組の視聴を続行することができる放送受信システム、受像機及び受信装置を提供する。【解決手段】受信装置２は、チューナ２２で受信した放送に係る映像信号を受像機１へ送信し、受像機１は、受信装置２から受信した映像信号に基づいて映像出力部１７で映像を出力する。受信装置２が受信した放送に基づいた映像を受像機１が出力している状態で、受信装置２が映像信号の送信を停止する場合は、受信装置２は、チューナ２２で受信していた放送のチャンネルを示すチャンネル情報を受像機１へ送信し、受像機１は、受信装置２から受信したチャンネル情報が示すチャンネルでチューナ１２にて放送の受信を開始する。以上のように、本発明では、放送を受信する装置を変更する場合に、変更前と同一のチャンネルで放送を受信し、受信した放送に基づいた映像を出力する。【選択図】図２
2014045511.tif 000002
【特許請求の範囲】
【請求項１】
夫々に放送の受信が可能な受像機及び複数の受信装置を含み、前記受信装置は、受信した放送に係る映像信号を前記受像機へ送信する手段を備え、前記受像機は、前記受信装置から受信した映像信号に基づいた映像及び受信した放送に基づいた映像を出力する手段を備える放送受信システムにおいて、
前記受像機は、
受信した放送に基づいた映像を出力する状態で、前記複数の受信装置の中から、受信していたチャンネルと同一チャンネルの放送を受信することが可能な受信装置を選択する手段と、
該手段が選択した受信装置へ、受信していた放送のチャンネルを示すチャンネル情報を送信する手段と、
受信した放送に基づいた映像を出力する状態を、前記受信装置から受信した映像信号に基づいた映像を出力する状態へ変更する手段とを備え、
前記受信装置は、
前記受像機から受信したチャンネル情報が示すチャンネルで、放送の受信を開始する手段を備えること
を特徴とする放送受信システム。
【請求項２】
夫々に放送の受信が可能な受像機及び複数の受信装置を含み、前記受信装置は、受信した放送に係る映像信号を前記受像機へ送信する手段を備え、前記受像機は、前記受信装置から受信した映像信号に基づいた映像及び受信した放送に基づいた映像を出力する手段を備える放送受信システムにおいて、
前記受信装置は、
該受信装置が受信した放送に基づいた映像を前記受像機で出力する状態で、前記受像機及び他の受信装置の中から、受信していたチャンネルと同一チャンネルの放送を受信することが可能な装置を選択する選択手段と、
該選択手段が選択した装置が前記受像機である場合に、受信していた放送のチャンネルを示すチャンネル情報を前記受像機へ送信する手段と、
前記選択手段が選択した装置が他の受信装置である場合に、映像信号の受信元を前記他の受信装置へ変更することを指示する変更指示を前記受像機へ送信する手段と、
前記チャンネル情報を前記他の受信装置へ送信する手段とを備え、
前記受像機は、
前記チャンネル情報を受信した場合に、前記チャンネル情報が示すチャンネルで、放送の受信を開始する手段と、
前記受信装置から受信した映像信号に基づいた映像を出力する状態を、受信した放送に基づいた映像を出力する状態へ変更する手段と、
前記変更指示を受信した場合に、前記受信装置から受信した映像信号に基づいた映像を出力する状態を、前記他の受信装置から受信した映像信号に基づいた映像を出力する状態へ変更する手段とを備え、
前記他の受信装置は、
前記チャンネル情報を受信した場合に、前記チャンネル情報が示すチャンネルで、放送の受信を開始する手段を備えること
を特徴とする放送受信システム。
【請求項３】
放送を受信する手段と、外部装置が受信した放送に係る映像信号を前記外部装置から受信する手段と、前記外部装置から受信した映像信号に基づいた映像及び受信した放送に基づいた映像を出力する手段とを備える受像機において、
複数の外部装置から映像信号を受信することが可能となっており、受信した放送に基づいた映像を出力する状態で、前記複数の外部装置の中から、受信していたチャンネルと同一チャンネルの放送を受信することが可能な外部装置を選択する手段と、
該手段が選択した外部装置へ、受信していた放送のチャンネルを示すチャンネル情報を送信する手段と、
受信した放送に基づいた映像を出力する状態を、前記外部装置から受信した映像信号に基づいた映像を出力する状態へ変更する手段と
を備えることを特徴とする受像機。
【請求項４】
放送を受信する手段と、外部装置が受信した放送に係る映像信号を前記外部装置から受信する手段と、前記外部装置から受信した映像信号に基づいた映像及び受信した放送に基づいた映像を出力する手段とを備える受像機において、
複数の外部装置から映像信号を受信することが可能となっており、一の外部装置から受信した映像信号に基づいた映像を出力する状態で、前記一の外部装置で受信していた放送のチャンネルを示すチャンネル情報を受信する手段と、
該手段が前記チャンネル情報を前記一の外部装置から受信した場合に、前記チャンネル情報が示すチャンネルで、放送の受信を開始する手段と、
前記一の外部装置から受信した映像信号に基づいた映像を出力する状態を、受信した放送に基づいた映像を出力する状態へ変更する手段と、
複数の外部装置から映像信号を受信することが可能となっており、一の外部装置から受信した映像信号に基づいた映像を出力する状態で、映像信号の受信元を他の外部装置へ変更することを指示する変更指示を受信する手段と、
該手段が前記変更指示を受信した場合に、前記一の外部装置から受信した映像信号に基づいた映像を出力する状態を、前記他の外部装置から受信した映像信号に基づいた映像を出力する状態へ変更する手段と
を備えることを特徴とする受像機。
【請求項５】
放送を受信する手段と、受信した放送に係る映像信号を外部へ送信する手段と、複数の外部装置と通信を行う手段とを備える受信装置において、
受信した放送に係る映像信号を外部へ送信している状態で、通信を行うことが可能な複数の外部装置の中から、受信していたチャンネルと同一チャンネルの放送を受信することが可能な外部装置を選択する手段と、
該手段が選択した外部装置へ、受信していた放送のチャンネルを示すチャンネル情報を送信する手段と
を備えることを特徴とする受信装置。
【発明の詳細な説明】
【技術分野】
【０００１】
本発明は、チューナを備えた受像機に録画装置等の他の受信装置が接続された放送受信システムに関し、より詳しくは、受信装置が動作中に停止したとしても受像機が動作を続行することができる放送受信システム、受像機及び受信装置に関する。
【背景技術】
【０００２】
現在、チューナを備えた録画装置又はセットトップボックス等、放送を受信し、受信した放送に基づいた映像及び音声を受像機に出力させる受信装置が普及している。これらの受信装置は、受像機に接続され、受信した放送に係る映像信号及び音声信号を受像機へ送信する。受像機は、内蔵するチューナで受信した放送に基づいた映像及び音声を出力することができる一方で、外部入力に設定することにより、接続された外部の受信装置から映像信号及び音声信号を受信し、受信した映像信号及び音声信号に基づいた映像及び音声を出力することができる。
【０００３】
外部の受信装置から受信した映像信号に基づいて受像機が映像を出力している状態で受信装置の電源をオフにした場合、受像機が出力を続行するためには、設定を外部入力から内蔵のチューナを利用した受信へ切り換える必要がある。特許文献１には、外部機器からの信号の受信とアンテナからの信号の受信とを切り換えることができる受像機で、外部機器からの同期信号が無しと判定した場合にアンテナからの信号の受信へ自動で切り換える技術が開示されている。また特許文献２には、受像機で、内蔵するチューナを用いた受信を行い、外部入力に切り換え、更にチューナを用いた受信へ戻した場合に、元々チューナで受信していた周波数で受信ができるようにした技術が開示されている。
【０００４】
以上のような受像機と受信装置との間を接続するインタフェースとして、ＨＤＭＩ（High Definition Multimedia Interface：登録商標）又はＩＥＥＥ１３９４等のデジタルインタフェースが開発されている。受信装置は、これらのデジタルインタフェースを通じてデータを受像機へ送信することができる。またＨＤＭＩは、ＣＥＣ（Consumer Electronics Control）と呼称される機器制御機能を有しており、受像機はＣＥＣの機能を利用して電源のオン／オフ等の受信装置の動作制御を行うことができる。
【先行技術文献】
【特許文献】
【０００５】
【特許文献１】実開昭５９−３６６６７号公報
【特許文献２】実開平１−１３５８７４号公報
【発明の概要】
【発明が解決しようとする課題】
【０００６】
受像機が受信装置からの映像信号に基づいて映像を出力している状態で受信装置の電源をオフにし、しかも設定を外部入力から内蔵のチューナを利用した受信へ切り換えることをしない場合は、受像機での映像の出力が停止する。このとき、映像の出力が停止したことを確認した使用者は、受像機の電源もオフになったと勘違いして受像機の電源をオフにし忘れる虞がある。特許文献１に開示された技術を利用した場合は、受信装置からの信号が途切れた段階で受像機は内蔵のチューナを利用した受信へ切り換えるので、使用者が受像機の電源をオフにし忘れる虞は無くなるものの、適切な選局を行うことはできない。特許文献２に開示された技術を利用した場合でも、以前に内蔵のチューナで選局されていた放送局が選局されるので、適切な選局が行われる可能性は低い。
【０００７】
また、外部入力から内蔵のチューナを利用した受信へ切り換える事とは逆に、受像機が内蔵するチューナで受信した放送に基づいた映像を出力する状態から、受信装置からの映像信号に基づいて映像を出力する状態へ切り換えることもある。また受像機に複数の受信装置が接続されている状態では、映像出力のための映像信号の入力元を一の受信装置から他の受信装置へ切り換えることもある。例えば、受信装置である録画装置で当該録画装置又は受像機のチューナを用いた録画の予約が行われており、このチューナを用いた視聴が行われている最中に録画が開始された場合、チューナが受信する放送は録画予約で指定された放送となるので、視聴を続行するためには視聴に用いるチューナを切り換える必要がある。このような場合においても、従来の技術では適切な選局を行うことはできず、使用者は視聴を継続することはできない。
【０００８】
本発明は、斯かる事情に鑑みてなされたものであって、その目的とするところは、受像機及び受信装置の内で視聴のために放送を受信する装置を変更する際に同一のチャンネルで放送を受信することにより、使用者が番組の視聴を続行することができる放送受信システム、受像機及び受信装置を提供することにある。
【課題を解決するための手段】
【０００９】
本発明に係る放送受信システムは、夫々に放送の受信が可能な受像機及び複数の受信装置を含み、前記受信装置は、受信した放送に係る映像信号を前記受像機へ送信する手段を備え、前記受像機は、前記受信装置から受信した映像信号に基づいた映像及び受信した放送に基づいた映像を出力する手段を備える放送受信システムにおいて、前記受像機は、受信した放送に基づいた映像を出力する状態で、前記複数の受信装置の中から、受信していたチャンネルと同一チャンネルの放送を受信することが可能な受信装置を選択する手段と、該手段が選択した受信装置へ、受信していた放送のチャンネルを示すチャンネル情報を送信する手段と、受信した放送に基づいた映像を出力する状態を、前記受信装置から受信した映像信号に基づいた映像を出力する状態へ変更する手段とを備え、前記受信装置は、前記受像機から受信したチャンネル情報が示すチャンネルで、放送の受信を開始する手段を備えることを特徴とする。
【００１０】
本発明に係る放送受信システムは、夫々に放送の受信が可能な受像機及び複数の受信装置を含み、前記受信装置は、受信した放送に係る映像信号を前記受像機へ送信する手段を備え、前記受像機は、前記受信装置から受信した映像信号に基づいた映像及び受信した放送に基づいた映像を出力する手段を備える放送受信システムにおいて、前記受信装置は、該受信装置が受信した放送に基づいた映像を前記受像機で出力する状態で、前記受像機及び他の受信装置の中から、受信していたチャンネルと同一チャンネルの放送を受信することが可能な装置を選択する選択手段と、該選択手段が選択した装置が前記受像機である場合に、受信していた放送のチャンネルを示すチャンネル情報を前記受像機へ送信する手段と、前記選択手段が選択した装置が他の受信装置である場合に、映像信号の受信元を前記他の受信装置へ変更することを指示する変更指示を前記受像機へ送信する手段と、前記チャンネル情報を前記他の受信装置へ送信する手段とを備え、前記受像機は、前記チャンネル情報を受信した場合に、前記チャンネル情報が示すチャンネルで、放送の受信を開始する手段と、前記受信装置から受信した映像信号に基づいた映像を出力する状態を、受信した放送に基づいた映像を出力する状態へ変更する手段と、前記変更指示を受信した場合に、前記受信装置から受信した映像信号に基づいた映像を出力する状態を、前記他の受信装置から受信した映像信号に基づいた映像を出力する状態へ変更する手段とを備え、前記他の受信装置は、前記チャンネル情報を受信した場合に、前記チャンネル情報が示すチャンネルで、放送の受信を開始する手段を備えることを特徴とする。
【００１１】
本発明に係る受像機は、放送を受信する手段と、外部装置が受信した放送に係る映像信号を前記外部装置から受信する手段と、前記外部装置から受信した映像信号に基づいた映像及び受信した放送に基づいた映像を出力する手段とを備える受像機において、複数の外部装置から映像信号を受信することが可能となっており、受信した放送に基づいた映像を出力する状態で、前記複数の外部装置の中から、受信していたチャンネルと同一チャンネルの放送を受信することが可能な外部装置を選択する手段と、該手段が選択した外部装置へ、受信していた放送のチャンネルを示すチャンネル情報を送信する手段と、受信した放送に基づいた映像を出力する状態を、前記外部装置から受信した映像信号に基づいた映像を出力する状態へ変更する手段とを備えることを特徴とする。
【００１２】
本発明に係る受像機は、放送を受信する手段と、外部装置が受信した放送に係る映像信号を前記外部装置から受信する手段と、前記外部装置から受信した映像信号に基づいた映像及び受信した放送に基づいた映像を出力する手段とを備える受像機において、複数の外部装置から映像信号を受信することが可能となっており、一の外部装置から受信した映像信号に基づいた映像を出力する状態で、前記一の外部装置で受信していた放送のチャンネルを示すチャンネル情報を受信する手段と、該手段が前記チャンネル情報を前記一の外部装置から受信した場合に、前記チャンネル情報が示すチャンネルで、放送の受信を開始する手段と、前記一の外部装置から受信した映像信号に基づいた映像を出力する状態を、受信した放送に基づいた映像を出力する状態へ変更する手段と、複数の外部装置から映像信号を受信することが可能となっており、一の外部装置から受信した映像信号に基づいた映像を出力する状態で、映像信号の受信元を他の外部装置へ変更することを指示する変更指示を受信する手段と、該手段が前記変更指示を受信した場合に、前記一の外部装置から受信した映像信号に基づいた映像を出力する状態を、前記他の外部装置から受信した映像信号に基づいた映像を出力する状態へ変更する手段とを備えることを特徴とする。
【００１３】
本発明に係る受信装置は、放送を受信する手段と、受信した放送に係る映像信号を外部へ送信する手段と、複数の外部装置と通信を行う手段とを備える受信装置において、受信した放送に係る映像信号を外部へ送信している状態で、通信を行うことが可能な複数の外部装置の中から、受信していたチャンネルと同一チャンネルの放送を受信することが可能な外部装置を選択する手段と、該手段が選択した外部装置へ、受信していた放送のチャンネルを示すチャンネル情報を送信する手段とを備えることを特徴とする。
【００１４】
本発明においては、受像機並びに一又は複数の受信装置のいずれかが受信する放送に基づいて受像機が映像を出力している状態で、映像を表示するための放送を受信する装置を変更する際に、変更前と同一のチャンネルで放送を受信し、映像の出力を継続する。
【００１５】
また本発明においては、受信装置が放送に係る映像信号を受像機へ送信し、受像機が映像を出力している状態で、受信装置は、映像信号の送信を停止する際に、受信していた放送のチャンネルを示すチャンネル情報を受像機へ送信する。受像機は、受信装置から受信したチャンネル情報が示すチャンネルで放送の受信を開始する。これらの処理により、受信装置が受信した放送に基づいた映像を受像機が出力している状態で受信装置が映像信号の送信を停止した場合、受像機は、受信装置が受信していた放送のチャンネルと同一のチャンネルで放送を受信し、受信した放送に基づいた映像を出力する。
【００１６】
また本発明においては、受像機は、受信装置からの映像信号の受信が停止したことを検出した場合に、チャンネル情報を受信装置に要求し、受信装置から受信したチャンネル情報が示すチャンネルで放送の受信を開始する。受像機は、受信装置が受信していた放送のチャンネルと同一のチャンネルで放送を受信し、受信した放送に基づいた映像を出力する。
【００１７】
また本発明においては、受像機は、受信装置を停止させることを指示する停止指示を受け付けた場合に、停止命令を受信装置へ送信し、受信装置は、映像信号の送信を停止する際に、チャンネル情報を受像機へ送信する。受像機は、受信装置から受信したチャンネル情報が示すチャンネルで放送の受信を開始することにより、受信装置が受信していた放送のチャンネルと同一のチャンネルで放送を受信し、受信した放送に基づいた映像を出力する。
【００１８】
また本発明においては、受像機は、停止指示を受け付けた場合に、チャンネル情報の要求を受信装置へ送信し、受信装置から受信したチャンネル情報が示すチャンネルで放送の受信を開始し、停止命令を受信装置へ送信し、受信装置は停止命令に従って停止する。受像機は、受信装置が受信していた放送のチャンネルと同一のチャンネルで放送を受信し、受信した放送に基づいた映像を出力する。
【００１９】
また本発明においては、受像機は、放送の受信を開始した後で使用者から何の指示も受け付けずに所定時間が経過した場合は、電源のオフ等により、映像の出力を停止する。
【００２０】
また本発明においては、放送を受信する装置を受像機から受信装置へ変更する場合に、受像機は、受信していた放送のチャンネルを示すチャンネル情報を受信装置へ送信し、受信装置は、チャンネル情報が示すチャンネルで放送の受信を開始する。受信装置は、受像機が受信していた放送のチャンネルと同一のチャンネルで放送を受信し、受像機は、受信装置が受信する放送に基づいた映像を出力することにより、同一チャンネルの放送の映像が継続して出力される。
【００２１】
また本発明においては、受像機が複数の受信装置から映像信号を受信可能であり、放送を受信する装置を受像機から受信装置へ変更する場合に、受像機は、受信していたチャンネルと同一チャンネルの放送を受信することが可能な受信装置を選択し、選択した受信装置へチャンネル情報を送信し、選択された受信装置は、チャンネル情報が示すチャンネルで放送の受信を開始する。受信装置は、受像機が受信していた放送のチャンネルと同一のチャンネルで放送を受信し、受像機は、受信装置が受信する放送に基づいた映像を出力することにより、同一チャンネルで放送の映像が継続して出力される。
【００２２】
また本発明においては、受像機が複数の受信装置から映像信号を受信可能であり、放送を受信する装置を一の受信装置から他の受信装置へ変更する場合に、一の受信装置はチャンネル情報を他の受信装置へ送信し、他の受信装置は、チャンネル情報が示すチャンネルで放送の受信を開始する。受像機は、他の受信装置が受信する放送に基づいた映像を出力することにより、同一チャンネルで放送の映像が継続して出力される。
【００２３】
また本発明においては、受像機が複数の受信装置から映像信号を受信可能であり、放送を受信する装置を一の受信装置から受像機又は他の受信装置へ変更する場合に、一の受信装置は、受像機及び他の受信装置の内で受信していたチャンネルと同一チャンネルの放送を受信することが可能な装置を選択し、選択した装置へチャンネル情報を送信する。チャンネル情報を受信した受像機又は他の受信装置は、チャンネル情報が示すチャンネルで放送の受信を開始する。これにより、受像機は、同一チャンネルで放送の映像を継続して出力する。
【発明の効果】
【００２４】
本発明にあっては、受像機並びに一又は複数の受信装置からなる放送受信システムで、映像を表示するための放送を受信する装置を変更する場合でも、変更前と同一のチャンネルで放送を受信し、映像の出力を継続するので、使用者は同一の放送番組を引き続いて視聴することができる。また本発明にあっては、受信装置を用いた視聴を行っている状態で受信装置を停止させた場合でも、受像機が同一のチャンネルで放送の受信を開始するので、使用者は、設定の切換又はチャンネルの指定等の操作を行うことなく、同一の放送番組を引き続いて視聴することができる等、本発明は優れた効果を奏する。
【図面の簡単な説明】
【００２５】
【図１】実施の形態１に係る本発明の放送受信システムの外観を示す概念図である。
【図２】受像機及び受信装置の内部構成を示すブロック図である。
【図３】受信装置が停止する際に実施の形態１に係る放送受信システムが行う処理の手順を示すフローチャートである。
【図４】受信装置が停止する際に実施の形態２に係る放送受信システムが行う処理の手順を示すフローチャートである。
【図５】受信装置が停止する際に実施の形態３に係る放送受信システムが行う処理の手順を示すフローチャートである。
【図６】受信装置が停止する際に実施の形態４に係る放送受信システムが行う処理の手順を示すフローチャートである。
【図７】実施の形態５に係る放送受信システムが行う処理の手順を示すフローチャートである。
【図８】実施の形態６に係る放送受信システムが行う処理の手順を示すフローチャートである。
【図９】実施の形態７に係る放送受信システムの外観を示す概念図である。
【図１０】受信装置の内部構成を示すブロック図である。
【図１１】実施の形態７に係る放送受信システムが行う処理の手順を示すフローチャートである。
【図１２】実施の形態８に係る放送受信システムが行う処理の手順を示すフローチャートである。
【図１３】実施の形態８に係る放送受信システムが行う処理の手順を示すフローチャートである。
【発明を実施するための形態】
【００２６】
以下本発明をその実施の形態を示す図面に基づき具体的に説明する。
（実施の形態１）
図１は、実施の形態１に係る本発明の放送受信システムの外観を示す概念図である。本発明の放送受信システムは、放送の受信が可能な受像機１と、受像機１に接続された受信装置２とを含んでなる。受信装置２は、受像機１とは独立に放送の受信及び録画が可能な録画装置である。受像機１は、視聴者が操作するリモートコントローラ（リモコン）３を用いて視聴者からの指示を受け付ける構成となっている。
【００２７】
図２は、受像機１及び受信装置２の内部構成を示すブロック図である。受信装置２は、演算を行う演算部、演算に伴う情報を記憶するＲＡＭ、演算に必要なプログラムを記憶するＲＯＭ等からなり、受信装置２の各部の動作を制御する制御部２１を備える。また受信装置２は、受信装置２に必要な映像処理及び音声処理を行う処理部２６を備える。処理部２６には、ＣＤ又はＤＶＤ等の光ディスクを受け入れ、光ディスクに記録されたデータを読み出す光ディスクドライブ２８と、ハードディスクを内蔵し、ハードディスクに対してデータを読み書きするハードディスクドライブ（ＨＤＤ）２７とが接続されている。処理部２６は、光ディスクドライブ２８及びＨＤＤ２７が読み出したデータをデコードして映像信号及び音声信号を生成する処理を行い、また、データを光ディスクドライブ２８及びＨＤＤ２７に記録させるために映像信号及び音声信号をエンコードする処理を行う。
【００２８】
また処理部２６には、地上波放送、衛星放送又は有線放送等の各種の放送を受信し、信号の復調及びデコードを行い、映像信号及び音声信号を生成するチューナ２２が接続されている。処理部２６は、チューナ２２が生成した映像信号及び音声信号をエンコードし、光ディスクドライブ２８及びＨＤＤ２７は処理部２６がエンコードしたデータを記録する。また受信装置２は、ＨＤＭＩの規格に従ったデータを送信するＨＤＭＩ送信部２３を備えており、ＨＤＭＩ送信部２３には、チューナ２２及び処理部２６が接続されている。ＨＤＭＩ送信部２３は、チューナ２２及び処理部２６が生成した映像信号及び音声信号をＨＤＭＩの規格に従ったデータにエンコードし、エンコードにより生成したＨＤＭＩのデータを送信する処理を行う。ＨＤＭＩ送信部２３には、更にＨＤＭＩの規格に従って構成された通信ケーブルであるＨＤＭＩケーブルが接続されるＨＤＭＩ端子２４が接続されており、ＨＤＭＩ端子２４は更に制御部２１に接続されている。ＨＤＭＩ端子２４を介して、ＨＤＭＩ送信部２３はＨＤＭＩのデータを送信し、制御部２１はＣＥＣ（Consumer Electronics Control）の規格に従った制御データを送受信する。ＨＤＭＩ端子２４及びＨＤＭＩケーブルは、ＨＤＭＩのデータとＣＥＣのデータとを互いに分離して送信する構成となっている。
【００２９】
受信装置２では、録画時には、チューナ２２が生成した映像信号及び音声信号を処理部２６がエンコードし、エンコードしたデータをＨＤＤ２７がハードディスクに記録するか、又は光ディスクドライブ２８が光ディスクに記録する。ダビング時には、ＨＤＤ２７がハードディスクから読み出したデータを、光ディスクドライブ２８が光ディスクに記録する。また録画された番組を使用者が視聴するときには、ＨＤＤ２７又は光ディスクドライブ２８が読み出したデータを処理部２６がデコードし、ＨＤＭＩ送信部２３は、処理部２６がデコードした映像信号及び音声信号をＨＤＭＩのデータにエンコードし、ＨＤＭＩ端子２４を介してＨＤＭＩのデータを受像機１へ送信する。また放送されている番組を使用者が視聴するときには、ＨＤＭＩ送信部２３は、チューナ２２が生成した映像信号及び音声信号をＨＤＭＩのデータにエンコードし、ＨＤＭＩ端子２４を介してＨＤＭＩのデータを受像機１へ送信する。このようにして、受信装置２は、ＨＤＭＩのデータ形式で、受信した放送に係る映像信号及び音声信号を受像機１へ送信する。
【００３０】
更に制御部２１には、使用者が操作するリモコン３からの信号を受信するリモコン受信部２５が接続されている。リモコン３は、使用者がリモコン３を受信装置２へ向けて所定のボタンを押下した場合に所定の信号を発信することにより、受信装置２の停止を指示する停止指示を受信装置２へ送信することができる。またリモコン受信部２５は、リモコン３から発信された信号を受信することにより、停止指示を受け付けることができる。リモコン受信部２５が停止指示を受け付けた場合、制御部２１は、電源から各部への電力の供給を遮断する等の方法により、受信装置２の各部の動作を停止させ、受信装置２を停止状態にする。停止状態では、ＨＤＭＩ送信部２３でのデータの送信は停止する。しかしながら、停止状態であっても、制御部２１が行うＣＥＣのデータの送受信は続行される。制御部２１は、ＣＥＣの規格に従った制御データを受信した場合に、受信した制御データに従って受信装置２の各部の動作を制御する。例えば、制御部２１は、停止状態で動作開始を指示する制御データを受信した場合には、受信装置２の各部の動作を開始させる処理を実行する。また制御部２１には、使用者の操作を直接に受け付ける押下ボタン等からなる操作部２９が接続されている。操作部２９は、使用者の操作を受け付けることにより、録画開始の指示又は再生開始の指示等、各種の指示を受け付ける。
【００３１】
受像機１は、演算を行う演算部、演算に伴う情報を記憶するＲＡＭ、演算に必要なプログラムを記憶するＲＯＭ等からなり、受像機１の各部の動作を制御する制御部１１を備える。また受像機１は、ＨＤＭＩの規格に従ったデータを受信するＨＤＭＩ受信部１３を備え、ＨＤＭＩ受信部１３及び制御部１１にはＨＤＭＩ端子１４が接続されている。ＨＤＭＩ端子１４は、受信装置２のＨＤＭＩ端子２４とＨＤＭＩケーブルで互いに接続されている。ＨＤＭＩ端子１４は、受信装置２から送信されたデータの内、ＣＥＣのデータを制御部１１へ入力し、ＨＤＭＩのデータをＨＤＭＩ受信部１３へ入力する。ＨＤＭＩ受信部１３は、ＨＤＭＩに従ったデータを受信し、受信したデータを映像信号及び音声信号へデコードする。
【００３２】
また受像機１は、映像信号及び音声信号を分離するＡＶスイッチ１６を備え、ＡＶスイッチ１６はＨＤＭＩ受信部１３に接続されている。またＡＶスイッチ１６には、液晶ディスプレイパネル又はプラズマディスプレイパネル等の表示部を含み、映像信号に基づいた映像を出力する映像出力部１７と、スピーカ又は音声出力端子等を含み、音声信号に基づいた音声を出力する音声出力部１８とが接続されている。ＨＤＭＩ受信部１３は、受信したデータをデコードした映像信号及び音声信号をＡＶスイッチ１６へ入力し、ＡＶスイッチ１６は、ＨＤＭＩ受信部１３から入力された映像信号を映像出力部１７へ入力し、音声信号を音声出力部１８へ入力する。更にＡＶスイッチ１６には、チューナ１２が接続されている。チューナ１２は、放送を受信して生成した映像信号及び音声信号をＡＶスイッチ１６へ入力し、ＡＶスイッチ１６は、チューナ１２から入力された映像信号を映像出力部１７へ入力し、音声信号を音声出力部１８へ入力する。映像出力部１７は、ＡＶスイッチ１６から入力された映像信号に基づいて映像を出力し、音声出力部１８は、ＡＶスイッチ１６から入力された音声信号に基づいて音声を出力する。このようにして、受像機１は、ＨＤＭＩのデータ形式で受信装置２から送信された映像信号及び音声信号を受信し、受信した映像信号及び音声信号に基づいて映像及び音声を出力する。
【００３３】
更に制御部１１には、使用者が操作するリモコン３からの信号を受信するリモコン受信部１５が接続されている。リモコン受信部１５は、使用者が操作するリモコン３から信号を受信することにより、チャンネル変更の指示等の各種の指示を受け付け、本発明における受付手段として機能する。制御部１１は、リモコン受信部１５が受け付けた指示に従って、受像機１の各部の動作を制御する処理を実行する。また制御部１１には、使用者の操作を直接に受け付ける押下ボタン等からなる操作部１９が接続されている。操作部１９は、使用者の操作を受け付けることにより、チャンネル変更の指示等の各種の指示を受け付け、制御部１１は、操作部１９が受け付けた指示に従って、受像機１の各部の動作を制御する処理を実行する。
【００３４】
以上の構成でなる本発明の放送受信システムは、受信装置２から受信したデータに基づいて受像機１が映像を出力している状態で受信装置２が停止した場合に、受像機１で放送の受信を開始する処理を行う。図３は、受信装置２が停止する際に実施の形態１に係る放送受信システムが行う処理の手順を示すフローチャートである。
【００３５】
受信装置２の制御部２１は、使用者がリモコン３を操作することによる停止指示をリモコン受信部２５で受け付けた場合に、受信装置２を停止状態にする。このとき、チューナ２２で放送を受信する処理、及びＨＤＭＩ送信部２３でデータを受像機１へ送信する処理等、チューナ２２で受信した放送に係る映像信号及び音声信号を受像機１へ送信するための処理が停止される。この結果、受信装置２から受像機１への映像信号及び音声信号の送信が停止される。受像機１が受信装置２から受信した映像信号及び音声信号に基づいて映像及び音声を出力している間、制御部１１は、受信装置２から送信される映像信号及び音声信号の受信が停止することを検出する処理を行う（Ｓ１０１）。具体的には、ＨＤＭＩ受信部１３が受信したデータをデコードし、デコードしたデータからクロック信号が得られない場合は、ＨＤＭＩ受信部１３はＨＤＭＩのデータを受信できていないことになるので、この場合に、制御部１１は、映像信号及び音声信号の受信が停止していると判定する。なお、受信装置２が停止する以外の原因でＨＤＭＩのデータの受信が途切れることもあるので、制御部１１は、ＨＤＭＩのデータを受信できない状態が予め定められた所定の時間継続した場合に、映像信号及び音声信号の受信が停止したと判定すればよい。
【００３６】
ステップＳ１０１で映像信号及び音声信号の受信が停止していない場合は（Ｓ１０１：ＮＯ）、制御部１１は、検出の処理を続行する。ステップＳ１０１で映像信号及び音声信号の受信が停止している場合は（Ｓ１０１：ＹＥＳ）、制御部１１は、映像信号及び音声信号の送信元がチューナ２２を備えた受信装置２であり、しかも受像機１から送信するＣＥＣの規格に従った制御データを受信可能な受信装置２であるか否かを判定する（Ｓ１０２）。例えば、映像信号及び音声信号の送信元が光ディスクの再生専用機であった場合は、送信元は受信装置２ではない。また送信元がチューナを備えていたとしても、ＣＥＣの規格に従った制御データに対応していない場合は、送信元は制御データを受信可能な受信装置２ではない。外部機器が受像機１に接続され、外部機器を認識する処理を行った際に、制御部１１は、外部機器がどのような機器であるのかを示す情報を記憶している。ステップＳ１０２では、制御部１１は、記憶している情報に基づいて、映像信号及び音声信号の送信元が制御データを受信可能な受信装置２であるか否かを判定する。なお、ＣＥＣ通信に応答がない場合に送信元が制御データを受信可能な受信装置２ではないと判定する等、制御部１１は、その他の方法を用いて判定してもよい。
【００３７】
映像信号及び音声信号の送信元が制御データを受信可能な受信装置２ではない場合は（Ｓ１０２：ＮＯ）、制御部１１は、チューナ１２に放送の受信を開始させる（Ｓ１０３）。このとき、チューナ１２は、予め設定されているチャンネル、又はランダムに決定されたチャンネルで放送の受信を開始する。チューナ１２は、放送を受信して映像信号及び音声信号を生成し、映像出力部１７は映像を出力し、音声出力部１８は音声を出力する。
【００３８】
ステップＳ１０２で映像信号及び音声信号の送信元が制御データを受信可能な受信装置２である場合は（Ｓ１０２：ＹＥＳ）、制御部１１は、受信装置２が停止するまで受信していた放送のチャンネルを示すチャンネル情報の要求を、ＣＥＣのデータとして、ＨＤＭＩ端子１４を介して受信装置２へ送信する（Ｓ１０４）。受信装置２は、チャンネル情報の要求をＨＤＭＩ端子２４で受信し（Ｓ１０５）、制御部２１は、停止するまでチューナ２２で受信していた放送のチャンネルを示すチャンネル情報を、ＣＥＣのデータとして、ＨＤＭＩ端子２４を介して受像機１へ送信する（Ｓ１０６）。チャンネル情報は、地上波放送、衛星放送又は有線放送等の放送の種類を示す情報と、チャンネル番号、周波数帯又は放送局名等の表現で特定のチャンネルを示す情報とを含んでいる。制御部２１及びＨＤＭＩ端子２４が実行するステップＳ１０５及びステップＳ１０６の処理は、本発明におけるチャンネル情報送信手段に対応する。なお、ステップＳ１０５でＣＥＣのデータであるチャンネル情報の要求を受信装置２が受信したとしても、チャンネル情報の要求を表すＣＥＣのコマンドに受信装置２が対応していない場合は、受信装置２はチャンネル情報を送信できない。この場合、受信装置２は、チャンネル情報の要求を表すＣＥＣのコマンドに対応していないことを示す情報を受像機１へ送信してもよい。また、受信装置２が停止する際に受像機１へ送信していた映像信号及び音声信号が、チューナ２２で受信した放送に係る信号ではなく、ハードディスク又は光ディスクに記録されたデータをデコードした信号である場合は、受信していた放送のチャンネルが存在しないので、受信装置２はチャンネル情報を送信できない。なお、この場合、受信装置２は、放送を受信していなかったことを示す情報を受像機１へ送信してもよい。
【００３９】
ステップＳ１０４が終了した後、受像機１の制御部１１は、受信装置２から送信されたチャンネル情報をＨＤＭＩ端子１４で受信することを待ち受ける（Ｓ１０７）。ステップＳ１０４の終了から所定時間が経過してもチャンネル情報の受信がない場合は（Ｓ１０７：ＮＯ）、制御部１１は、処理をステップＳ１０３へ進める。またチャンネル情報の要求を表すＣＥＣのコマンドに対応していないことを示す情報、又は放送を受信していなかったことを示す情報を受信装置２から受信した場合でも、制御部１１は、チャンネル情報の受信がないと判定し、処理をステップＳ１０３へ進める。
【００４０】
ステップＳ１０７でチャンネル情報をＨＤＭＩ端子１４で受信した場合は（Ｓ１０７：ＹＥＳ）、制御部１１は、受信したチャンネル情報が示すチャンネルが、チューナ１２で放送を受信可能なチャンネルであるか否かを判定する（Ｓ１０８）。例えば、チューナ１２が地上波放送のみに対応し、チューナ２２が衛星放送にも対応しており、受像機１がステップＳ１０７で衛星放送のチャンネルを示すチャンネル情報を受信した場合は、チャンネル情報が示すチャンネルの放送をチューナ１２では受信できない。チャンネルがチューナ１２で放送を受信可能なチャンネルではない場合は（Ｓ１０８：ＮＯ）、制御部１１は、処理をステップＳ１０３へ進める。チャンネルがチューナ１２で放送を受信可能なチャンネルである場合は（Ｓ１０８：ＹＥＳ）、制御部１１は、受信したチャンネル情報が示すチャンネルでチューナ１２に放送の受信を開始させる（Ｓ１０９）。チューナ１２は、放送を受信して映像信号及び音声信号を生成し、映像出力部１７は映像信号に基づいた映像を出力し、音声出力部１８は音声信号に基づいた音声を出力する。
【００４１】
ステップＳ１０３又はステップＳ１０９が終了した後は、制御部１１は、使用者からの指示を一定時間受け付けない場合に受像機１を停止させるためのタイマーを設定して、計時を開始し（Ｓ１１０）、受信装置２が停止する際の処理を終了する。制御部１１は、計時を続行し、使用者がリモコン３を操作することによりリモコン受信部１５が何らかの指示を受け付けた場合に、計時を終了する。何の指示をも受け付けることなく予め定められた所定時間が経過した場合は、制御部１１は、電源から各部への電力の供給を遮断する等の方法により、受像機１の各部の動作を停止させ、受像機１を停止状態にする。停止状態では、映像出力部１７による映像の出力は停止され、音声出力部１８による音声の出力も停止される。
【００４２】
以上詳述した如く、本実施の形態に係る放送受信システムでは、受像機１は、受信装置２からの映像信号の受信が停止したことを検出した場合に、受信装置２が受信していた放送のチャンネルを示すチャンネル情報を受信装置２に要求する。受像機１は、受信装置２から受信したチャンネル情報が示すチャンネルで放送の受信を開始する。これらの処理により、受信装置２が受信した放送に基づいた映像を受像機１が出力している状態で受信装置２が停止した場合、受像機１は、受信装置２が受信していた放送のチャンネルと同一のチャンネルで放送を受信し、受信した放送に基づいた映像を出力する。使用者は、受信装置２を用いて放送番組を視聴している状態で受信装置２を停止させた場合に、設定の切換又はチャンネルの指定等の操作を行うことなく、同一の放送番組を引き続いて視聴することができる。直前まで使用者が視聴していた放送番組は、使用者が引き続いて視聴する可能性が高いので、本発明は従来技術に比べてより適切な選局を行い、放送受信システムの利便性が向上する。また本発明では、受信装置２を停止させたとしても受像機１は映像を出力しつづけるので、使用者が受像機の電源もオフになったと勘違いして受像機の電源をオフにし忘れる可能性が低下する。
【００４３】
また本実施の形態に係る放送受信システムでは、受像機１は、放送の受信を開始した後で使用者から何の指示も受け付けずに所定時間が経過した場合は、電源のオフ等により、映像の出力を停止する。使用者がリモコン３の停止ボタンを押下する等して受信装置２を停止させる場合は、使用者は放送番組の視聴を止めることを意図している可能性がある。このとき、使用者は受像機１が動作していることを確認せずに立ち去り、受像機１が動作した状態で放置される虞がある。本発明においては、受信を開始してからチャンネルの変更又は音量の変更等の指示を受け付けずに所定時間が経過した場合に受像機１での映像の出力を停止することにより、受像機１が放置されたとしても受像機１を確実に停止させることができる。
【００４４】
（実施の形態２）
実施の形態２においては、受信装置２の停止時に受信装置２からチャンネル情報を送信する形態を説明する。実施の形態２に係る放送受信システムの構成は実施の形態１と同様であり、その説明を省略する。図４は、受信装置２が停止する際に実施の形態２に係る放送受信システムが行う処理の手順を示すフローチャートである。
【００４５】
受信装置２が放送に係る映像信号及び音声信号を受像機１へ送信している間、制御部２１は、使用者がリモコン３を操作することによる停止指示をリモコン受信部２５で受け付けることを待ち受けている（Ｓ２１）。停止指示の受け付けがない場合は（Ｓ２１：ＮＯ）、制御部２１は、停止指示の待ち受けを続行する。停止指示を受け付けた場合は（Ｓ２１：ＹＥＳ）、制御部２１は、受信装置２を停止状態にする（Ｓ２２）。制御部２１は、次に、受信装置２が停止するまで受信していた放送のチャンネルを示すチャンネル情報を、ＣＥＣのデータとして、ＨＤＭＩ端子２４を介して受像機１へ送信する（Ｓ２３）。制御部２１及びＨＤＭＩ端子２４が実行するステップＳ２３の処理は、本発明におけるチャンネル情報送信手段に対応する。なお、制御部２１は、先にチャンネル情報を送信し、次に受信装置２を停止状態にする処理を行ってもよい。
【００４６】
受像機１は、チャンネル情報をＨＤＭＩ端子１４で受信し（Ｓ２４）、制御部１１は、受信したチャンネル情報が示すチャンネルが、チューナ１２で放送を受信可能なチャンネルであるか否かを判定する（Ｓ２５）。チャンネルがチューナ１２で放送を受信可能なチャンネルではない場合は（Ｓ２５：ＮＯ）、制御部１１は、予め設定されているチャンネル又はランダムに決定されたチャンネルでチューナ１２に放送の受信を開始させる（Ｓ２６）。チャンネルがチューナ１２で放送を受信可能なチャンネルである場合は（Ｓ２５：ＹＥＳ）、制御部１１は、受信したチャンネル情報が示すチャンネルでチューナ１２に放送の受信を開始させる（Ｓ２７）。ステップＳ２６又はステップＳ２７が終了した後は、制御部１１は、使用者からの指示を一定時間受け付けない場合に受像機１を停止させるためのタイマーを設定して、計時を開始し（Ｓ２８）、受信装置２が停止する際の処理を終了する。制御部１１は、計時を続行し、リモコン受信部１５が何らかの指示を受け付けた場合に、計時を終了する。何の指示をも受け付けることなく予め定められた所定時間が経過した場合は、制御部１１は、受像機１を停止状態にする。
【００４７】
以上詳述した如く、本実施の形態に係る放送受信システムでは、受信装置２は、受信した放送に係る映像信号及び音声信号の送信を停止する際に、受信していた放送のチャンネルを示すチャンネル情報を受像機１へ送信し、受像機１は、受信装置２から受信したチャンネル情報が示すチャンネルで放送の受信を開始する。従って、本実施の形態においても、受信装置２が停止した場合、受像機１は、受信装置２が受信していた放送のチャンネルと同一のチャンネルで放送を受信し、使用者は、同一の放送番組を引き続いて視聴することができる。
【００４８】
（実施の形態３）
実施の形態３においては、放送受信システムは、受信装置２の停止を指示する停止指示を受像機１で受信し、受信装置２を停止させることができる。実施の形態３に係る放送受信システムの構成は実施の形態１と同様であり、その説明を省略する。図５は、受信装置２が停止する際に実施の形態３に係る放送受信システムが行う処理の手順を示すフローチャートである。
【００４９】
受像機１が受信装置２から映像信号及び音声信号を受信して映像及び音声を出力している間、制御部１１は、使用者がリモコン３を操作することにより、受信装置２の停止を指示する停止指示をリモコン受信部１５で受け付けることを待ち受けている（Ｓ３０１）。停止指示の受け付けがない場合は（Ｓ３０１：ＮＯ）、制御部１１は、停止指示の待ち受けを続行する。停止指示を受け付けた場合は（Ｓ３０１：ＹＥＳ）、制御部１１は、受信装置２を停止させるための停止命令を、ＣＥＣのデータとして、ＨＤＭＩ端子１４を介して受信装置２へ送信する（Ｓ３０２）。
【００５０】
受信装置２は、停止命令をＨＤＭＩ端子２４で受信し（Ｓ３１１）、制御部２１は、受信装置２を停止状態にする（Ｓ３１２）。制御部２１は、次に、受信装置２が停止するまで受信していた放送のチャンネルを示すチャンネル情報を、ＣＥＣのデータとして、ＨＤＭＩ端子２４を介して受像機１へ送信する（Ｓ３１３）。なお、制御部２１は、先にチャンネル情報を送信し、次に受信装置２を停止状態にする処理を行ってもよい。制御部２１及びＨＤＭＩ端子２４が実行するステップＳ３１１及びステップＳ３１３の処理は、本発明におけるチャンネル情報送信手段に対応する。なお、実施の形態１と同様に、受信装置２はチャンネル情報を送信できないことがある。
【００５１】
ステップＳ３０２が終了した後、制御部１１は、停止命令の送信先がチューナ２２を備えた受信装置２であるか否かを判定する（Ｓ３０３）。停止命令の送信先がチューナ２２を備えた受信装置２ではない場合は（Ｓ３０３：ＮＯ）、チャンネル情報を受信することはできず、制御部１１は、チューナ１２に放送の受信を開始させる（Ｓ３０４）。このとき、チューナ１２は、予め設定されているチャンネル、又はランダムに決定されたチャンネルで放送の受信を開始する。ステップＳ３０３で停止命令の送信先がチューナ２２を備えた受信装置２である場合は（Ｓ３０３：ＹＥＳ）、受像機１の制御部１１は、受信装置２から送信されたチャンネル情報をＨＤＭＩ端子１４で受信することを待ち受ける（Ｓ３０５）。放送を受信していなかったことを示す情報を受信装置２から受信する等、チャンネル情報の受信がない場合は（Ｓ３０５：ＮＯ）、制御部１１は、処理をステップＳ３０４へ進める。チャンネル情報をＨＤＭＩ端子１４で受信した場合は（Ｓ３０５：ＹＥＳ）、制御部１１は、受信したチャンネル情報が示すチャンネルが、チューナ１２で放送を受信可能なチャンネルであるか否かを判定する（Ｓ３０６）。チャンネルがチューナ１２で放送を受信可能なチャンネルではない場合は（Ｓ３０６：ＮＯ）、制御部１１は、処理をステップＳ３０４へ進める。チャンネルがチューナ１２で放送を受信可能なチャンネルである場合は（Ｓ３０６：ＹＥＳ）、制御部１１は、受信したチャンネル情報が示すチャンネルでチューナ１２に放送の受信を開始させる（Ｓ３０７）。
【００５２】
ステップＳ３０４又はステップＳ３０７が終了した後は、制御部１１は、使用者からの指示を一定時間受け付けない場合に受像機１を停止させるためのタイマーを設定して、計時を開始し（Ｓ３０８）、受信装置２が停止する際の処理を終了する。制御部１１は、計時を続行し、リモコン受信部１５が何らかの指示を受け付けた場合に、計時を終了する。何の指示をも受け付けることなく予め定められた所定時間が経過した場合は、制御部１１は、受像機１を停止状態にする。
【００５３】
以上詳述した如く、本実施の形態に係る放送受信システムでは、受像機１は、受信装置２を停止させることを指示する停止指示を受け付けた場合に、停止命令を受信装置２へ送信し、受信装置２は、映像信号及び音声信号の送信を停止する際に、チャンネル情報を受像機１へ送信する。受像機１は、受信装置２から受信したチャンネル情報が示すチャンネルで放送の受信を開始する。従って、本実施の形態においても、受信装置２が停止する場合、受像機１は、受信装置２が受信していた放送のチャンネルと同一のチャンネルで放送を受信し、使用者は、同一の放送番組を引き続いて視聴することができる。
【００５４】
（実施の形態４）
実施の形態４においては、受信装置２の停止を指示する停止指示を受像機１で受信した場合に、受像機１で放送の受信を開始してから受信装置２を停止させる形態を説明する。実施の形態４に係る放送受信システムの構成は実施の形態１と同様であり、その説明を省略する。図６は、受信装置２が停止する際に実施の形態４に係る放送受信システムが行う処理の手順を示すフローチャートである。
【００５５】
受像機１が受信装置２から映像信号及び音声信号を受信して映像及び音声を出力している間、制御部１１は、使用者がリモコン３を操作することにより、受信装置２の停止を指示する停止指示をリモコン受信部１５で受け付けることを待ち受けている（Ｓ４０１）。停止指示の受け付けがない場合は（Ｓ４０１：ＮＯ）、制御部１１は、停止指示の待ち受けを続行する。停止指示を受け付けた場合は（Ｓ４０１：ＹＥＳ）、制御部１１は、映像信号及び音声信号の送信元がチューナ２２を備えた受信装置２であり、しかも受像機１から送信するＣＥＣの規格に従った制御データを受信可能な受信装置２であるか否かを判定する（Ｓ４０２）。映像信号及び音声信号の送信元が制御データを受信可能な受信装置２ではない場合は（Ｓ４０２：ＮＯ）、制御部１１は、チューナ１２に放送の受信を開始させる（Ｓ４０３）。このとき、チューナ１２は、予め設定されているチャンネル、又はランダムに決定されたチャンネルで放送の受信を開始する。
【００５６】
ステップＳ４０２で映像信号及び音声信号の送信元が制御データを受信可能な受信装置２である場合は（Ｓ４０２：ＹＥＳ）、制御部１１は、受信装置２がそれまで受信していた放送のチャンネルを示すチャンネル情報の要求を、ＣＥＣのデータとして、ＨＤＭＩ端子１４を介して受信装置２へ送信する（Ｓ４０４）。受信装置２は、チャンネル情報の要求をＨＤＭＩ端子２４で受信し（Ｓ４０５）、制御部２１は、チューナ２２でそれまで受信していた放送のチャンネルを示すチャンネル情報を、ＣＥＣのデータとして、ＨＤＭＩ端子２４を介して受像機１へ送信する（Ｓ４０６）。制御部２１及びＨＤＭＩ端子２４が実行するステップＳ４０５及びステップＳ４０６の処理は、本発明におけるチャンネル情報送信手段に対応する。なお、実施の形態１と同様に、受信装置２はチャンネル情報を送信できないことがある。
【００５７】
ステップＳ４０４が終了した後、受像機１の制御部１１は、受信装置２から送信されたチャンネル情報をＨＤＭＩ端子１４で受信することを待ち受ける（Ｓ４０７）。放送を受信していなかったことを示す情報を受信装置２から受信する等、チャンネル情報の受信がない場合は（Ｓ４０７：ＮＯ）、制御部１１は、処理をステップＳ４０３へ進める。チャンネル情報をＨＤＭＩ端子１４で受信した場合は（Ｓ４０７：ＹＥＳ）、制御部１１は、受信したチャンネル情報が示すチャンネルが、チューナ１２で放送を受信可能なチャンネルであるか否かを判定する（Ｓ４０８）。チャンネルがチューナ１２で放送を受信可能なチャンネルではない場合は（Ｓ４０８：ＮＯ）、制御部１１は、処理をステップＳ４０３へ進める。チャンネルがチューナ１２で放送を受信可能なチャンネルである場合は（Ｓ４０８：ＹＥＳ）、制御部１１は、受信したチャンネル情報が示すチャンネルでチューナ１２に放送の受信を開始させる（Ｓ４０９）。チューナ１２は、放送を受信して映像信号及び音声信号を生成し、映像出力部１７は映像信号に基づいた映像を出力し、音声出力部１８は音声信号に基づいた音声を出力する。ステップＳ４０３又はステップＳ４０９が終了した後は、制御部１１は、受信装置２を停止させるための停止命令を、ＣＥＣのデータとして、ＨＤＭＩ端子１４を介して受信装置２へ送信する（Ｓ４１０）。受信装置２は、停止命令をＨＤＭＩ端子２４で受信し（Ｓ４１１）、制御部２１は、受信装置２を停止状態にし（Ｓ４１２）、処理を終了する。
【００５８】
ステップＳ４１０が終了した後は、制御部１１は、使用者からの指示を一定時間受け付けない場合に受像機１を停止させるためのタイマーを設定して、計時を開始し（Ｓ４１３）、受信装置２が停止する際の処理を終了する。制御部１１は、計時を続行し、リモコン受信部１５が何らかの指示を受け付けた場合に、計時を終了する。何の指示をも受け付けることなく予め定められた所定時間が経過した場合は、制御部１１は、受像機１を停止状態にする。
【００５９】
以上詳述した如く、本実施の形態に係る放送受信システムでは、受像機１は、受信装置２を停止させることを指示する停止指示を受け付けた場合に、チャンネル情報の要求を受信装置２へ送信し、受信装置２から受信したチャンネル情報が示すチャンネルで放送の受信を開始する。更に受像機１は停止命令を受信装置２へ送信し、受信装置２は停止命令に従って停止する。従って、本実施の形態においても、受信装置２が停止する場合、受像機１は、受信装置２が受信していた放送のチャンネルと同一のチャンネルで放送を受信し、使用者は、同一の放送番組を引き続いて視聴することができる。
【００６０】
なお、実施の形態１に係る放送受信システムは、実施の形態３又は４で説明した機能をも備えた形態であってもよく、実施の形態２に係る放送受信システムも、実施の形態３又は４で説明した機能をも備えた形態であってもよい。
【００６１】
（実施の形態５）
実施の形態１〜４においては、放送を受信する装置を受信装置２から受像機１へ切り換える形態を示したが、実施の形態５においては、放送を受信する装置を受像機１から受信装置２へ切り換える形態を説明する。実施の形態５に係る放送受信システムの構成は実施の形態１と同様であり、その説明を省略する。図７は、実施の形態５に係る放送受信システムが行う処理の手順を示すフローチャートである。
【００６２】
受像機１がチューナ１２で受信した放送に基づいて映像及び音声を出力している間、制御部１１は、映像を出力するために放送を受信する装置を受像機１から受信装置２へ切り換えるための指示の受け付けを待ち受ける処理を行う（Ｓ５０１）。例えば、受像機１は、使用者がリモコン３を操作することにより、放送を受信する装置を受像機１から受信装置２へ切り換える指示をリモコン受信部１５で受け付ける。また受像機１は、使用者が操作部１９を操作することにより、放送を受信する装置を受像機１から受信装置２へ切り換える指示を操作部１９で受け付けることもできる。また受信装置２は、受像機１のチューナ１２で受信する放送に基づいた録画を行うことが可能であり、チューナ１２を用いた録画の予約が行われ、チューナ１２で受信した放送に基づいた映像が出力されている最中に受信装置２で録画が開始された場合、受像機１は、受信装置２から切り換えのための指示を受け付ける。
【００６３】
ステップＳ５０１で切り換えのための指示の受付がない場合は（Ｓ５０１：ＮＯ）、受像機１は映像及び音声の出力を行いながら、制御部１１は、切り換えのための指示の受付の待ち受けを続行する。ステップＳ５０１で切り換えのための指示を受け付けた場合は（Ｓ５０１：ＹＥＳ）、制御部１１は、受像機１での映像出力の設定を、チューナ１２で受信する放送に基づいた映像を出力する設定から、受信装置２から入力された映像信号に基づいた映像を出力する設定へ変更する（Ｓ５０２）。制御部１１は、次に、受信装置２に放送を受信することを指示する受信指示を、ＣＥＣのデータとして、ＨＤＭＩ端子１４を介して受信装置２へ送信する（Ｓ５０３）。
【００６４】
受信装置２は、受信指示をＨＤＭＩ端子２４で受信し（Ｓ５０４）、受信装置２の制御部２１は、受像機１がそれまで受信していた放送のチャンネルを示すチャンネル情報の要求を、ＣＥＣのデータとして、ＨＤＭＩ端子２４を介して受像機１へ送信する（Ｓ５０５）。受像機１は、チャンネル情報の要求をＨＤＭＩ端子１４で受信し（Ｓ５０６）、制御部１１は、チューナ１２でそれまで受信していた放送のチャンネルを示すチャンネル情報を、ＣＥＣのデータとして、ＨＤＭＩ端子１４を介して受信装置２へ送信する（Ｓ５０７）。
【００６５】
受信装置２は、チャンネル情報をＨＤＭＩ端子２４で受信し（Ｓ５０８）、制御部２１は、受信したチャンネル情報が示すチャンネルが、受信装置２のチューナ２２で放送を受信可能なチャンネルであるか否かを判定する（Ｓ５０９）。チャンネルがチューナ２２で放送を受信可能なチャンネルである場合は（Ｓ５０９：ＹＥＳ）、制御部２１は、受信したチャンネル情報が示すチャンネルでチューナ２２に放送の受信を開始させる（Ｓ５１０）。チャンネルがチューナ２２で放送を受信可能なチャンネルでない場合は（Ｓ５０９：ＮＯ）、制御部２１は、受信可能な他のチャンネルでチューナ２２に放送の受信を開始させる（Ｓ５１１）。放送受信システムは、以上で受信切り換えの処理を終了する。放送の受信を開始した後は、受信装置２は、チューナ２２が受信した放送に基づいた映像信号及び音声信号をＨＤＭＩ端子２４から受像機１へ送信し、受像機１は、受信装置２から受信した映像信号及び音声信号に基づいて映像及び音声を出力する。
【００６６】
なお、受信装置２は、ステップＳ５０９でチャンネルがチューナ２２で放送を受信可能なチャンネルでない場合に、放送を受信できないことを示すエラー情報を受像機１へ送信し、受像機１は、エラーを映像出力部１７に出力する処理を行ってもよい。また受像機１に複数の受信装置２，２，…が接続されている形態では、一の受信装置２からエラー情報を受信した場合に、他の受信装置２へ改めて受信指示を送信する処理を行ってもよい。
【００６７】
以上詳述した如く、本実施の形態に係る放送受信システムでは、映像を出力するために放送を受信する装置を受像機１から受信装置２へ切り換えるための指示を受け付けた場合に、受信装置２は、受像機１からチャンネル情報を受信し、チャンネル情報が示すチャンネルで放送の受信を開始する。これにより、映像を出力するために放送を受信する装置が受像機１から受信装置２へ切り換わる場合に、受信装置２は、受像機１が受信していた放送のチャンネルと同一のチャンネルで放送を受信し、使用者は、同一の放送番組を引き続いて視聴することができる。また受像機１のチューナ１２を用いた録画の予約が行われており、チューナ１２を用いた視聴が行われている最中に録画が開始された場合においても、受信装置２は、受像機１が受信していた放送のチャンネルと同一のチャンネルで放送を受信し、使用者は、同一の放送番組を引き続いて視聴することができる。
【００６８】
また本発明の放送受信システムでは、受像機１がチューナ１２で受信した放送に基づいた映像を出力している途中で、放送に基づいた映像の出力を中止し、受信装置２が録画した映像の再生を行い、その後再生を終了した場合に、放送に基づいた映像の出力を再開する処理を行うことができる。本発明では、この処理の際に、ステップＳ５０１〜Ｓ５１１の処理を行うことにより、受像機１が受信していた放送のチャンネルと同一のチャンネルを選局する処理を行う。まず、受像機１は、受信装置２が録画した映像の再生を開始する際に、ステップＳ５０１の受信切り換えのための指示を受け付ける。例えば、光ディスク又はＨＤＤ２７で記録したデータのリストを映像出力部１７で出力し、使用者がリモコン３を操作して、再生すべき映像のデータを選択する指示をリモコン受信部１５で受け付けることにより、受像機１はステップＳ５０１の指示を受け付ける。また使用者がリモコン３を操作して、映像再生の指示をリモコン受信部１５で受け付けることにより、受像機１はステップＳ５０１の指示を受け付ける。また使用者が受信装置２の操作部２９を操作することにより、受信装置２が映像再生の指示を操作部２９で受け付けた場合、受信装置２が映像切り換えの指示を受像機１へ送信することにより、受像機１はステップＳ５０１の指示を受け付ける。
【００６９】
その後、放送受信システムは、ステップＳ５０２〜Ｓ５０８の処理を実行する。受信装置２は、受信したチャンネル情報を制御部２１で記憶し、映像再生の処理を実行する。即ち、受信装置２は、ＨＤＤ２７又は光ディスクドライブ２８から読み出したデータに基づいた映像信号を送信し、受像機１は、受信装置２からの映像信号に基づいた映像を出力する。映像再生の処理が終了した後、受信装置２がステップＳ５１０の処理を実行することにより、映像再生の前に受像機１が受信していた放送のチャンネルと同一のチャンネルが選局される。このように、本実施の形態の処理により、放送に基づいた映像を出力している途中で録画映像の再生を行い、その後再生を終了した場合においても、受信装置２は、受像機１が受信していた放送のチャンネルと同一のチャンネルで放送を受信し、使用者は、同一の放送番組を引き続いて視聴することができる。
【００７０】
なお、本実施の形態に係る放送受信システムは、実施の形態１〜４で説明した機能をも備えた形態であってもよい。
【００７１】
（実施の形態６）
実施の形態５においては、放送の受信を行う受信装置２から受像機１へチャンネル情報を要求する形態を示したが、実施の形態６においては、受像機１に複数の受信装置２，２，…接続が可能であり、切り換え対象の受信装置２を受像機１で選択する形態を説明する。受像機１には、複数の受信装置２，２，…が接続可能であるとする。その他の点においては、実施の形態６に係る放送受信システムの構成は実施の形態１と同様であり、その説明を省略する。図８は、実施の形態６に係る放送受信システムが行う処理の手順を示すフローチャートである。
【００７２】
受信機１には、複数の受信装置２，２，…が接続されている。受像機１がチューナ１２で受信した放送に基づいて映像及び音声を出力している間、制御部１１は、映像を出力するために放送を受信する装置を受像機１から受信装置２へ切り換えるための指示の受け付けを待ち受ける処理を行う（Ｓ６１）。受像機１が切り換えのための指示を受け付ける具体的な方法は、実施の形態５と同様である。また、受像機１は、複数の受信装置２，２，…の内で放送を受信する装置を切り換える先の受信装置２を指定する指示をリモコン受信部１５で受け付けることも可能である。切り換えのための指示の受付がない場合は（Ｓ６１：ＮＯ）、受像機１は映像及び音声の出力を行いながら、制御部１１は、切り換えのための指示の受付の待ち受けを続行する。
【００７３】
ステップＳ６１で切り換えのための指示を受け付けた場合は（Ｓ６１：ＹＥＳ）、制御部１１は、各受信装置２は受像機１と同一チャンネルの放送を受信可能な装置であるかを示す情報を取得する処理を行う（Ｓ６２）。具体的には、制御部１１は、各受信装置２にチューナが備えられているか否か、チューナが使用中であるか否か、地上波放送等の各種の放送の内で受像機１が受信している放送を各受信装置２のチューナで受信できるか否か、及び受像機１が受信しているチャンネルの放送を各受信装置２のチューナで受信できるか否か等を問い合わせる命令を、ＣＥＣのデータとして、ＨＤＭＩ端子１４を介して各受信装置２へ送信する。例えば、受信装置２がチューナ２２を備えていたとしても、地上波放送又は衛星放送等の受像機１で受信している放送の種類にチューナ２２が対応していない場合は、受信装置２は受像機１と同一チャンネルの放送を受信することはできない。また録画等のためにチューナが使用中である場合は、放送の受信に使用することはできない。またチューナ２２が受像機１で受信中の放送の種類に対応していたとしても、受像機１と同一チャンネルの放送をデコードするための情報を取得していない場合は、受信装置２は受像機１と同一チャンネルの放送を受信することはできない。デコードのための情報は、例えば、放送受信のための契約が行われた上で必要な情報が記録された図示しないメモリカードが装着されることで、受信装置２が取得することができる。受像機１からの問合せ命令に対して、各受信装置２は返信のＣＥＣデータを受像機１へ送信する。各受信装置２からの返信のＣＥＣデータをＨＤＭＩ端子１４で受信することにより、制御部１１は、各受信装置２は受像機１と同一チャンネルの放送を受信可能な装置であるかを示す情報を取得する。なお、受像機１は、起動時又は受信装置２の接続時に受信装置２の機能に関する情報を取得し、取得した情報を制御部１１等で記憶しておき、制御部１１は、記憶している情報を読み出すことにより、ステップＳ６２の処理を実行してもよい。
【００７４】
制御部１１は、次に、取得した情報に基づいて、複数の受信装置２，２，…の中から、切り換え先の受信装置２として、受像機１と同一チャンネルの放送を受信可能な受信装置２を選択する（Ｓ６３）。ステップＳ６１で切り換え先の受信装置２が指定されており、指定された受信装置２が受像機１と同一チャンネルの放送を受信可能である場合は、ステップＳ６３で、制御部１１は指定された受信装置２を選択する。ステップＳ６１で切り換え先として指定された受信装置２であっても、指定された受信装置２が受像機１と同一チャンネルの放送を受信できない場合は、ステップＳ６３で、制御部１１は他の受信装置２を選択する。また受像機１と同一チャンネルの放送を受信可能な受信装置２が複数存在する場合は、ステップＳ６３で、制御部１１は、管理のために各受信装置２に付している管理番号がより若い受信装置２を選択する等、所定のルールに従って一の受信装置２を選択する。また受像機１と同一チャンネルの放送を受信可能な受信装置２が存在しない場合は、制御部１１は、受信切り換えの処理を終了するか、又は他のチャンネルを受信装置２に選局させる処理を行う。
【００７５】
制御部１１は、次に、受像機１での映像出力の設定を、チューナ１２で受信する放送に基づいた映像を出力する設定から、選択した受信装置２から入力された映像信号に基づいた映像を出力する設定へ変更する（Ｓ６４）。制御部１１は、次に、受信装置２に放送を受信することを指示する受信指示、及びチューナ１２で受信していた放送のチャンネルを示すチャンネル情報を、ＣＥＣのデータとして、ステップＳ６３で選択した受信装置２へＨＤＭＩ端子１４を介して送信する（Ｓ６５）。
【００７６】
受信装置２は、受信指示及びチャンネル情報をＨＤＭＩ端子２４で受信し（Ｓ６６）、受信装置２の制御部２１は、受信したチャンネル情報が示すチャンネルでチューナ２２に放送の受信を開始させる（Ｓ６７）。放送受信システムは、以上で受信切り換えの処理を終了する。放送の受信を開始した後は、受信装置２は、チューナ１２が受信した放送に基づいた映像信号及び音声信号をＨＤＭＩ端子２４から受像機１へ送信し、受像機１は、受信装置２から受信した映像信号及び音声信号に基づいて映像及び音声を出力する。
【００７７】
以上詳述した如く、本実施の形態に係る放送受信システムでは、実施の形態５と同様に、映像を出力するために放送を受信する装置が受像機１から受信装置２へ切り換わる場合に、受信装置２は、受像機１が受信していた放送のチャンネルと同一のチャンネルで放送を受信する。使用者は、同一の放送番組を引き続いて視聴することができる。また同様に、チューナ１２を用いた視聴が行われている最中にチューナ１２を用いた録画が開始された場合においても、使用者は、同一の放送番組を引き続いて視聴することができる。
【００７８】
なお、本実施の形態においては、複数の受信装置２，２，…が受像機１に接続されている形態を示したが、本発明の放送受信システムは、単数の受信装置２が受像機１に接続されている場合であっても、ステップＳ６１〜Ｓ６７の処理を実行することは可能である。また、本実施の形態においても、実施の形態５と同様に、受像機１がチューナ１２で受信した放送に基づいた映像を出力している途中で受信装置２が録画した映像の再生を行い、その後再生を終了した場合に、受信装置２は、受像機１が受信していた放送のチャンネルと同一のチャンネルで放送を受信する処理を行うことが可能である。
【００７９】
また、本実施の形態に係る放送受信システムは、実施の形態１〜４で説明した機能をも備えた形態であってもよい。
【００８０】
（実施の形態７）
実施の形態１〜４においては、放送を受信する装置を受信装置２から受像機１へ切り換える形態を示し、実施の形態５及び６においては、放送を受信する装置を受像機１から受信装置２へ切り換える形態を示したが、実施の形態７においては、受像機１に接続されている受信装置間で放送を受信する装置を切り換える形態を説明する。図９は、実施の形態７に係る放送受信システムの外観を示す概念図である。受像機１には、受信装置２及び受信装置４が接続されている。受像機１及び受信装置２の内部構成は実施の形態１と同様であり、その説明を省略する。図１０は、受信装置４の内部構成を示すブロック図である。受信装置４は、受信装置２と同様に、制御部４１、チューナ４２、ＨＤＭＩ送信部４３、ＨＤＭＩ端子４４、リモコン受信部４５、処理部４６、ＨＤＤ４７、光ディスクドライブ４８及び操作部４９を備えている。ＨＤＭＩ端子４４は、受像機１のＨＤＭＩ端子１４とＨＤＭＩケーブルで互いに接続されている。
【００８１】
本実施の形態では、放送を受信する装置を、切り換え元の受信装置２から切り換え先の受信装置４へ切り換える処理を説明する。図１１は、実施の形態７に係る放送受信システムが行う処理の手順を示すフローチャートである。
【００８２】
受信装置２がチューナ２２で放送を受信して映像信号を受像機１へ送信し、受像機１が映像信号に基づいて映像を出力している間、受信装置２の制御部２１は、映像を出力するために放送を受信する装置を受信装置２から受信装置４へ切り換えるための指示の受け付けを待ち受ける処理を行う（Ｓ７０１）。例えば、受像機１は、使用者がリモコン３を操作することにより、放送を受信する装置を受信装置２から受信装置４へ切り換える指示をリモコン受信部１５で受け付け、受け付けた指示を受信装置２へ送信し、受信装置２は、切り換えの指示を受信する。また受信装置２は、使用者がリモコン３を操作することにより、放送を受信する装置を受信装置２から受信装置４へ切り換える指示をリモコン受信部２５で受け付けることもできる。
【００８３】
ステップＳ７０１で切り換えのための指示の受付がない場合は（Ｓ７０１：ＮＯ）、受信装置２は放送の受信を行いながら、制御部２１は、切り換えのための指示の受付の待ち受けを続行する。ステップＳ７０１で切り換えのための指示を受け付けた場合は（Ｓ７０１：ＹＥＳ）、制御部２１は、受像機１での映像出力の設定を、受信装置２からの映像信号に基づいた映像を出力する設定から、受信装置４からの映像信号に基づいた映像を出力する設定へ変更することを指示する変更指示を、ＣＥＣのデータとして、ＨＤＭＩ端子２４を介して受像機１へ送信する（Ｓ７０２）。受像機１は、映像出力の設定の変更指示をＨＤＭＩ端子１４で受信し（Ｓ７０３）、制御部１１は、映像出力の設定を、受信装置２から入力された映像信号に基づいた映像を出力する設定から、受信装置４から入力された映像信号に基づいた映像を出力する設定へ変更する（Ｓ７０４）。
【００８４】
ステップＳ７０２の後、受信装置２の制御部２１は、受信装置４に放送を受信することを指示する受信指示を、ＣＥＣのデータとして、ＨＤＭＩ端子１４を介して受像機１へ送信する（Ｓ７０５）。受像機１は、受信装置２からの受信指示を受信装置４へ中継し（Ｓ７０６）、受信装置４は、受信指示をＨＤＭＩ端子４４で受信する（Ｓ７０７）。受信装置４の制御部４１は、受信装置２がそれまで受信していた放送のチャンネルを示すチャンネル情報の要求を、ＣＥＣのデータとして、ＨＤＭＩ端子４４を介して受像機１へ送信する（Ｓ７０８）。受像機１は、受信装置４からのチャンネル情報の要求を受信装置２へ中継し（Ｓ７０９）、受信装置２は、チャンネル情報の要求をＨＤＭＩ端子２４で受信する（Ｓ７１０）。受信装置２の制御部２１は、チューナ２２でそれまで受信していた放送のチャンネルを示すチャンネル情報を、ＣＥＣのデータとして、ＨＤＭＩ端子１４を介して受像機１へ送信する（Ｓ７１１）。受像機１は、受信装置２からのチャンネル情報を受信装置４へ中継し（Ｓ７１２）、受信装置４は、チャンネル情報をＨＤＭＩ端子４４で受信する（Ｓ７１３）。
【００８５】
受信装置４の制御部４１は、受信したチャンネル情報が示すチャンネルが、チューナ４２で放送を受信可能なチャンネルであるか否かを判定する（Ｓ７１４）。チャンネルがチューナ４２で放送を受信可能なチャンネルである場合は（Ｓ７１４：ＹＥＳ）、制御部４１は、受信したチャンネル情報が示すチャンネルでチューナ４２に放送の受信を開始させる（Ｓ７１５）。チャンネルがチューナ４２で放送を受信可能なチャンネルでない場合は（Ｓ７１４：ＮＯ）、制御部４１は、受信可能な他のチャンネルでチューナ４２に放送の受信を開始させる（Ｓ７１６）。放送受信システムは、以上で受信切り換えの処理を終了する。放送の受信を開始した後は、受信装置４は、チューナ４２が受信した放送に基づいた映像信号及び音声信号をＨＤＭＩ端子４４から受像機１へ送信し、受像機１は、受信装置４から受信した映像信号及び音声信号に基づいて映像及び音声を出力する。
【００８６】
なお、受信装置４は、ステップＳ７１４でチャンネルがチューナ４２で放送を受信可能なチャンネルでない場合に、放送を受信できないことを示すエラー情報を受像機１へ送信し、受像機１は、エラーを映像出力部１７に出力する処理を行ってもよい。また受像機１に更に別の受信装置が接続されている形態では、受信装置４からエラー情報を受信した場合に、別の受信装置へ改めて受信指示を送信する処理を行ってもよい。
【００８７】
以上詳述した如く、本実施の形態に係る放送受信システムでは、映像を出力するために放送を受信する装置を受信装置２から受信装置４へ切り換えるための指示を受け付けた場合に、受信装置４は、受信装置２からチャンネル情報を受信し、チャンネル情報が示すチャンネルで放送の受信を開始する。これにより、映像を出力するために放送を受信する装置が受信装置２から受信装置４へ切り換わる場合に、受信装置４は、受信装置２が受信していた放送のチャンネルと同一のチャンネルで放送を受信し、使用者は、同一の放送番組を引き続いて視聴することができる。
【００８８】
また、本実施の形態に係る放送受信システムは、実施の形態５又は６で説明した機能をも備えた形態であってもよい。
【００８９】
（実施の形態８）
実施の形態７においては、受信の切り換え先の受信装置４から受信装置２へチャンネル情報を要求する形態を示したが、実施の形態８においては、受像機１及び受信装置４の中から受信の切り換え先を受信装置２で選択する形態を説明する。実施の形態８に係る放送受信システムの構成は実施の形態７と同様であり、その説明を省略する。図１２及び図１３は、実施の形態８に係る放送受信システムが行う処理の手順を示すフローチャートである。
【００９０】
受信装置２がチューナ２２で放送を受信して映像信号を受像機１へ送信し、受像機１が映像信号に基づいて映像を出力している間、受信装置２の制御部２１は、映像を出力するために放送を受信する装置を受信装置２から受像機１又は受信装置４へ切り換えるための指示の受け付けを待ち受ける処理を行う（Ｓ８０１）。例えば、受像機１は、使用者がリモコン３を操作することにより、放送を受信する装置を受信装置２から切り換える指示をリモコン受信部１５で受け付け、受け付けた指示を受信装置２へ送信し、受信装置２は、切り換えの指示を受信する。また受信装置２は、使用者がリモコン３を操作することにより、放送を受信する装置を受信装置２から切り換える指示をリモコン受信部２５で受け付けることもできる。また、チューナ２２を用いた録画の予約が行われており、チューナ２２で放送を受信している最中に録画が開始された場合、制御部２１は、切り換えのための指示を受け付けたと判定する。また受信装置２は、受像機１及び受信装置４の内で放送を受信する装置を切り換える先を指定する指示を受像機１のリモコン受信部１５又は受信装置２のリモコン受信部２５で受け付けることも可能である。切り換えのための指示の受付がない場合は（Ｓ８０１：ＮＯ）、受信装置２は放送の受信を行いながら、制御部２１は、切り換えのための指示の受付の待ち受けを続行する。
【００９１】
ステップＳ８０１で切り換えのための指示を受け付けた場合は（Ｓ８０１：ＹＥＳ）、制御部２１は、受像機１及び受信装置４は受信装置２と同一チャンネルの放送を受信可能な装置であるかを示す情報を取得する処理を行う（Ｓ８０２）。具体的には、制御部２１は、チューナが備えられているか否か、チューナが使用中であるか否か、受信装置２が受信している種類の放送を受信できるか否か、及び受信装置２が受信しているチャンネルの放送を受信できるか否か等を問い合わせる命令を、ＣＥＣのデータとして、受像機１へ送信し、更に受像機１を経由して受信装置４へ送信する。受信装置２からの問合せ命令に対して、受像機１は返信のＣＥＣデータを受信装置２へ送信し、受信装置４は、返信のＣＥＣデータを受像機１を経由して受信装置２へ送信する。返信のＣＥＣデータをＨＤＭＩ端子１４で受信することにより、受信装置２の制御部２１は、受像機１及び受信装置４と同一チャンネルの放送を受信可能な装置であるかを示す情報を取得する。なお、受信装置２は、起動時又は受信装置２若しくは受信装置４が受像機１に接続されたときに、受像機１及び受信装置４の機能に関する情報を取得し、取得した情報を制御部２１等で記憶しておき、制御部２１は、記憶している情報を読み出すことにより、ステップＳ８０２の処理を実行してもよい。
【００９２】
制御部２１は、次に、取得した情報に基づいて、受像機１及び受信装置４の中から、受信装置２と同一チャンネルの放送を受信可能な受信の切り換え先の装置を選択する（Ｓ８０３）。ステップＳ８０１で切り換え先の装置が指定されており、指定された装置が受信装置２と同一チャンネルの放送を受信可能である場合は、ステップＳ８０３で、制御部２１は受信の切り換え先として指定された装置を選択する。ステップＳ８０１で切り換え先として指定された装置であっても、指定された装置が受信装置２と同一チャンネルの放送を受信できない場合は、ステップＳ８０３で、制御部２１は切り換え先として他の装置を選択する。また受像機１及び受信装置４の両方で受信装置２と同一チャンネルの放送を受信可能である場合は、ステップＳ８０３で、制御部２１は、受像機１を優先的に選択する等、所定のルールに従って受信の切り換え先の装置を選択する。また受像機１及び受信装置４のいずれもが受信装置２と同一チャンネルの放送を受信できない場合は、制御部２１は、受信切り換えの処理を終了するか、又は他のチャンネルを受像機１若しくは受信装置４に選局させる処理を行う。
【００９３】
制御部２１は、次に、ステップＳ８０３で選択した受信の切り換え先の装置は受像機１であるか否かを判定する（Ｓ８０４）。切り換え先が受像機１である場合は（Ｓ８０４：ＹＥＳ）、制御部２１は、受像機１に放送を受信することを指示する受信指示、及びチューナ２２で受信していた放送のチャンネルを示すチャンネル情報を、ＣＥＣのデータとして、受像機１へＨＤＭＩ端子１４を介して送信する（Ｓ８０５）。受像機１は、受信指示及びチャンネル情報をＨＤＭＩ端子１４で受信し（Ｓ８０６）、受像機１の制御部１１は、受信したチャンネル情報が示すチャンネルでチューナ１２に放送の受信を開始させる（Ｓ８０７）。受像機１で放送の受信を開始した後は、放送受信システムは受信切り換えの処理を終了し、受像機１は、受信した放送に基づいて映像及び音声を出力する。
【００９４】
ステップＳ８０４で切り換え先が受像機１ではなく、受信装置４である場合は（Ｓ８０４：ＮＯ）、制御部２１は、受像機１での映像出力の設定を、受信装置２からの映像信号に基づいた映像を出力する設定から、受信装置４からの映像信号に基づいた映像を出力する設定へ変更することを指示する変更指示を、ＣＥＣのデータとして、ＨＤＭＩ端子２４を介して受像機１へ送信する（Ｓ８０８）。受像機１は、映像出力の設定の変更指示をＨＤＭＩ端子１４で受信し（Ｓ８０９）、制御部１１は、映像出力の設定を、受信装置２から入力された映像信号に基づいた映像を出力する設定から、受信装置４から入力された映像信号に基づいた映像を出力する設定へ変更する（Ｓ８１０）。
【００９５】
ステップＳ８０８の後、受信装置２の制御部２１は、受信装置４に放送を受信することを指示する受信指示、及びチューナ２２で受信していた放送のチャンネルを示すチャンネル情報を、ＣＥＣのデータとして、ＨＤＭＩ端子１４を介して受像機１へ送信する（Ｓ８１１）。受像機１は、受信装置２からの受信指示及びチャンネル情報を受信装置４へ中継し（Ｓ８１２）、受信装置４は、受信指示及びチャンネル情報をＨＤＭＩ端子４４で受信する（Ｓ８１３）。受信装置４の制御部４１は、受信したチャンネル情報が示すチャンネルでチューナ４２に放送の受信を開始させる（Ｓ８１４）。放送受信システムは、以上で受信切り換えの処理を終了する。放送の受信を開始した後は、受信装置４は、チューナ４２が受信した放送に基づいた映像信号及び音声信号をＨＤＭＩ端子４４から受像機１へ送信し、受像機１は、受信装置４から受信した映像信号及び音声信号に基づいて映像及び音声を出力する。
【００９６】
以上詳述した如く、本実施の形態に係る放送受信システムでは、映像を出力するために放送を受信する装置を受信装置２から受像機１又は受信装置４へ切り換えるための指示を受け付けた場合に、受像機１及び受信装置４の内で受信装置２と同一のチャンネルで放送を受信できる装置で放送の受信を開始する。これにより、映像を出力するために放送を受信する装置が受信装置２から切り換わる場合に、受像機１は、受信装置２が受信していた放送のチャンネルと同一のチャンネルで受像機１又は受信装置４が受信した放送に基づいて映像を出力し、使用者は、同一の放送番組を引き続いて視聴することができる。また、受信装置２のチューナ２２を用いた視聴が行われている最中にチューナ２２を用いた録画が開始された場合においても、使用者は、同一の放送番組を引き続いて視聴することができる。
【００９７】
なお、本実施の形態においては、単数の受信装置４が受像機１に接続されている形態を示したが、本発明の放送受信システムは、複数の受信装置４，４，…が受像機１に接続されている形態であってもよい。この形態の場合でも、ステップＳ８０３で受像機１及び受信装置４，４，…の中から適切な装置を選択する処理を行うことにより、本発明の放送受信システムは、ステップＳ８０１〜Ｓ８１４の処理を実行することは可能である。また、本実施の形態に係る放送受信システムは、実施の形態５又は６で説明した機能をも備えた形態であってもよい。
【００９８】
なお、以上の実施の形態１〜８においては、受信装置２，４は録画装置であるとしたが、これに限るものではない。本発明の受信装置２，４はチューナ２２，４２を備えていればよく、受像機１に接続することが可能なチューナ装置又はセットトップボックスであってもよい。また実施の形態１〜８においては、データを機器間で送受信するためのインタフェースとしてＨＤＭＩを用いた形態を示したが、本発明は、受像機１に映像を出力させるための映像信号と停止命令等の制御データとを個別に送受信できるフォーマットであれば、その他のインタフェースを用いた形態であってもよい。
【符号の説明】
【００９９】
１  受像機
１１  制御部
１２  チューナ
１３  ＨＤＭＩ受信部
１４  ＨＤＭＩ端子
１５  リモコン受信部
１７  映像出力部
２，４  受信装置
２１，４１  制御部
２２，４２  チューナ
２３，４３  ＨＤＭＩ送信部
２４，４４  ＨＤＭＩ端子
２５，４５  リモコン受信部
【図１】
2014045511.tif 000003
【図２】
2014045511.tif 000004
【図３】
2014045511.tif 000005
【図４】
2014045511.tif 000006
【図５】
2014045511.tif 000007
【図６】
2014045511.tif 000008
【図７】
2014045511.tif 000009
【図８】
2014045511.tif 000010
【図９】
2014045511.tif 000011
【図１０】
2014045511.tif 000012
【図１１】
2014045511.tif 000013
【図１２】
2014045511.tif 000014
【図１３】
2014045511.tif 000015